(57)【特許請求の範囲】
【請求項１】
厨房家具のキャビネット構造において、背板の下端部及び底板の奥行を短くして開口を設け、この開口を塞ぐ繋ぎ部材を背板及び底板の内面に取り付けて出隅、入隅を形成するようにしたものであって、繋ぎ部材を、平板として、長手方向の両側端部を背板及び底板の内面への取付辺とし、これら取付辺の間に背板と底板の隙間を出隅入隅で繋ぐときの垂直辺及び水平辺を設け、取付辺と垂直辺、水平辺との間及び垂直辺と水平辺の間を軟質材からなる折曲帯を介在させ、その他を硬質材にて一体に形成したものとし、一の繋ぎ部材で上下反転することで出隅、入隅を形成できるようにしたことを特徴とする厨房家具のキャビネット構造。
【請求項２】
請求項１記載の厨房家具のキャビネット構造において、キャビネットの両側板の内側にＬ形の受け部材を取り付け、繋ぎ部材の両側端部を載せ架けるようにしたことを特徴とするもの。
【請求項３】
繋ぎ部材の垂直辺及び水平辺の片面側の長手方向に、多数の補強用の突条を形成したことを特徴とする請求項１又は請求項２記載の厨房家具のキャビネット構造。
【発明の詳細な説明】
【０００１】
【発明の属する技術分野】
この発明は、システムキッチンの構成要素としての流し、調理面、加熱器を備えた厨房家具、複合厨房家具、セクショナルキッチンとしての流し台、調理台、こんろ台などの台所に設置される厨房家具のキャビネット構造に係るもので、特に、背面下部に特徴を有するものである。
【０００２】
【従来の技術】
特開昭５０−５１４７号公報、実開昭５８−６８１３５号公報などに開示されているように、従来の厨房家具のキャビネット構造では、底板、背板、両側板、前面の扉からなるキャビネットを必要に応じて台輪に載せて収納部を構成するものであった。
このような従来のキャビネットでは、底板と背板は直角に組み付けられるものが殆どであった。そのため、例えば壁面に沿って給排水管、ガス管及び電気配線をしたり、壁面に近い床より立ち上げられた給排水管、ガス管を避けるためには、キャビネットの背板を手前に組み付けた別構造のキャビネットを用意する必要があった。
あるいは、従来のキャビネットを現場にて背板下端部及び底板の奥行を短くなるように切除して別途部材あるいは切断した部材を元の部材と直角となるように繋げてキャビネットの背面下部にスペースを設けるように加工することも行われていた。
【０００３】
特開平１０−１２７３８１号公報では、上記のような手間を避けるため、キャビネット本体の奥側下隅部に開口を設け、この開口を塞ぐ断面視ほぼＬ型のコーナー部材５０を表裏反転自在に取り付けるようにした構造が提案されている。図５は、キャビネットの奥下隅部に配管スペースを形成するようにコーナー部材５０を配置しビスにて取り付ける例を示すものである。配管スペースが不要な場合は表裏反転して取り付けることになる。
【０００４】
【発明が解決しようとする課題】
予め別構造のキャビネットを製造するのは、二種類のキャビネットを用意することとなり、製造面でコスト高になっていた。
同じく、現場対応で加工する場合にも、加工の手間や部材を用意するなど作業コストが嵩み、作業品質にもばらつきが避けられなかった。
断面ほぼＬ型のコーナー部材を表裏反転自在に取り付けるものでは、実際の施工現場では取り付け取り外しが容易でなく取り扱いに問題が生じることが予想される。すなわち、両面が内面となる可能性があるので掃除のし易さなどから補強用のリブを設けることが難しく、部材の強度は成形肉厚によって保たせることになるので重量が嵩み、また、コーナー部材をキャビネットに設置する際の取り回しに必要なクリアランスを確保するとキャビネットの側板とコーナー部材との間に隙間が生じてしまい、これを避けるためコーナー部材を隙間が開かないような長さとすると取り回しが困難となる構造となっていた。
【０００５】
【課題を解決するための手段】
この発明は、このような従来技術の課題を解決すべく開発したもので、背面下部に開口を設け、ここを別途一の繋ぎ部材にて接合するようにしたキャビネット構造で、必要に応じてキャビネットの背面下部にスペースを設けたり、設けなかったりすることでキャビネットの共通化を図ることができたのである。
また、繋ぎ部材の素材、形状、機能によって、合理的な繋ぎ部材とキャビネット構造を提供することにより、台所の厨房設備に係る配管設備工事、電気工事などの現場工事に即応することのできる厨房家具のキャビネット構造とすることができたのである。
【０００６】
請求項１の発明は、厨房家具のキャビネット構造において、背板の下端部及び底板の奥行を短くして開口を設け、この開口を塞ぐ繋ぎ部材を背板及び底板の内面に取り付けて出隅、入隅を形成するようにしたものであって、繋ぎ部材を、平板として、長手方向の両側端部を背板及び底板の内面への取付辺とし、これら取付辺の間に背板と底板の隙間を出隅入隅で繋ぐときの垂直辺及び水平辺を設け、取付辺と垂直辺、水平辺との間及び垂直辺と水平辺の間を軟質材からなる折曲帯を介在させ、その他を硬質材にて一体に形成したものとし、一の繋ぎ部材で上下反転することで出隅、入隅を形成できるようにしたものである。
【０００７】
請求項２の発明は、請求項１記載の厨房家具のキャビネット構造において、キャビネットの両側板の内側にＬ形の受け部材を取り付け、繋ぎ部材の両側端部を載せ架けるようにしたものである。
請求項３の発明は、繋ぎ部材の垂直辺及び水平辺の片面側の長手方向に、多数の補強用の突条を形成したことを特徴とするものである。
【０００８】
【発明の実施の形態】
図１及び図２は、この発明に係る厨房家具のキャビネット１であるが上面の水槽、加熱器は省略している。キャビネット１は底板２、背板３、側板４、４及び前面の扉５により上面を開放し天板６を載せるもので、これらは台輪７上に載置されている。台輪７はキャビネットと一体に構成するものとしても良い。
背板３の下端部及び底板２の奥行を短くして開口を設け、この隙間を繋ぎ部材１０（図３、図４参照）を取り付けて塞ぐようにしてある。
【０００９】
この繋ぎ部材１０は、硬質プラスチックと軟質プラスチックを一体に押出成形して得る平板であり、その長さはキャビネット１の側板４、４の間とほぼ同一で取り回しに必要なクリアランスを確保するために若干短くする。
繋ぎ部材１０の長手方向の両側端部を背板３及び底板２の内面への取付辺１１、１１とし、これら取付辺１１、１１の間に背板３と底板２の隙間を出隅入隅で繋ぐときの垂直辺１２及び水平辺１３を設け、これらを硬質プラスチックからなる硬質材とし、これら硬質材からなる取付辺１１と垂直辺１２、水平辺１３との間及び垂直辺１２と水平辺１３の間を軟質材具体的には軟質プラスチックからなる折曲帯１４を介在させるようにしている。
繋ぎ部材１０の垂直辺１２及び水平辺１３の片面側の長手方向には多数の補強用の突条１５を一体に形成してある。これにより、繋ぎ部材１０全体の肉厚を押えても剛性を保ち、かつ、片面を平滑面として常にキャビネット１の内面に位置させることで清掃の便宜を図ることができる。
取付辺１１には適宜間隔にて抜き穴１１ａ、１１ａを穿つようにし、ビス８を抜き穴１１ａより背板３及び底板２にねじ込み、繋ぎ部材１０を固定することになる。
【００１０】
図１に示すキャビネット１では、その背面下部に配管スペースが不要な場合で、まず、背板３及び底板２を延長するようなＬ形をなす受け部材２０を側板４、４にビス８にて止め付けるようにする。次いで、繋ぎ部材１０の垂直辺１２と水平辺１３の間の折曲帯１４を、突条１５がキャビネット１の外側になるように直角に曲げ、全体として側面Ｌ状となるようにし、取付辺１１の抜き穴１１ａよりビス９をキャビネット１の底板２及び背板３にねじ込んで、繋ぎ部材１０の両側端部が受け部材２０に載せ架けるようにして取り付けキャビネット１の開口を出隅とするものである。
受け部材２０は５ｍｍ程度の厚みを持つもので、主として繋ぎ部材１０とキャビネット１の側板４、４との隙間を塞ぐ役割を果たし、補助的に取付辺１１と垂直辺１２及び水平辺１３の間の折曲帯１４による繋ぎ部材１０の屈曲変形を防ぐことになる。
【００１１】
図２に示すものは、キャビネット１の背面下部に配管スペース３０を設けるようにするもので、図３、４に示す同じ繋ぎ部材１０を図１の状態と比較すれば上下逆転し、折曲帯１４、１４、１４にて直角に曲げて用いるもので、キャビネット１内部奥に架台を設けるような入隅の構成となる。
受け部材２０は背板３及び底板２と直角をなすような逆Ｌ形をなすように配置し、この受け部材２０を側板４、４にビス８にて固定する。
図１及び図２における受け部材２０は同一の構成をなすもので、向きを変えて用いるものである。
繋ぎ部材１０は突条１５がキャビネット１の外側となるようにして、折曲帯１４、１４、１４にて夫々直角に曲げて、その取付辺１１、１１を底板２及び背板３の内面に沿わせてビス９を抜き穴１１ａよりねじ込んで、受け部材２０に載せ架けるようにして取り付けるのである。
【００１２】
繋ぎ部材１０をビス９にて取り付けるものとしているが、接着剤にて貼り付けるようにしてもよい。
図１における繋ぎ部材１０の取り付け構造では、従来の底板と背板を直角に組み付けたものと同様なもので、キャビネットの背板３と台所の壁面の間にスペースをもって配置する場合に好適なものといえる。さらに、繋ぎ部材１０になんら加工を施さないのであれば、繋ぎ部材１０を固定して組み込んで現場に搬入することもできる。
図２での繋ぎ部材１０の取り付け構造では、繋ぎ部材１０にてキャビネット１の背面外側に配管スペース３０を形成し、キャビネット１内の奥には架台を形成することになる。
【００１３】
詳細な図示は省略するが、図１、図２の出隅、入隅に繋ぎ部材１０を配置する場合に、この繋ぎ部材１０に、給水管、給湯管、排水管、ガス管、排気管などの配管などのための孔を穿つようにし、底板２には孔加工をしないようにする。
図示しないが、電気配線のための孔を繋ぎ部材１０に設けたり、蓋付きの点検口を設けることもできる。
【００１４】
【発明の効果】
請求項１記載の発明では、キャビネットの背面側に開口を形成し、硬質材と軟質材を一体に構成したものを繋ぎ部材として塞ぐようにしてあるので、一の繋ぎ部材で上下反転させ、軟質材よりなる折曲帯で曲げ開口を出隅、入隅のいずれでも塞ぐことができるので、キャビネットの背面に配管スペースを備えるものと、備えないものを一種類のキャビネットとして製造することができ製品の点数を増やすことがないので、生産効率がアップし、施工現場で即応することもできることになる。
請求項２記載の発明では、請求項１記載の厨房家具のキャビネット構造において、キャビネットの両側板の内側にＬ形の受け部材を取り付け、繋ぎ部材の両側端部を載せ架けるようにしたので、繋ぎ部材の取り回しのためのクリアランスを確保しながら、キャビネットの側板との間を受け部材で塞ぐことができることになる。
【００１５】
請求項３記載の発明では、繋ぎ部材の垂直辺及び水平辺の片面側の長手方向に、多数の補強用の突条を形成したので、全体として肉厚を押えて比較的軽くても強度を保つことができることになる。
【図面の簡単な説明】
【図１】この発明の要部断面図である。
【図２】同じくこの発明の要部断面図である。
【図３】繋ぎ部材の正面図である。
【図４】繋ぎ部材の断面図である。
【図５】従来例の取り付け状態の断面図である。
【符号の説明】
１  キャビネット
２  底板
３  背板
４  側板
５  扉
６  天板
７  台輪
１０  繋ぎ部材
１１  取付辺
１２  垂直辺
１３  水平辺
１４  折曲帯
３０  配管スペース
【図１】
0003883301.tif 000002
【図２】
0003883301.tif 000003
【図３】
0003883301.tif 000004
【図４】
0003883301.tif 000005
【図５】
0003883301.tif 000006